(57)【要約】      （修正有）【課題】ロール紙の交換・補充の際に、用紙の位置決めを容易に行うことができ、印刷時に印刷不良を起こすことがない印刷装置を提供する。【解決手段】印刷装置Ｐは、キャビネット本体１０に変位可能に設けた可動部に、用紙Ｓの両側方に配置される一対の第１突起部２１と、第１突起部２１の幅方向外側に配置される一対の第２突起部２２とを設ける。カバー体３０が開位置のときには、付勢手段によって、可動部が突出位置に向かう方向へ弾発的に付勢されることによって、第１突起部２１が用紙載置部から突出するから、用紙Ｓを適正位置に配置するのが容易である。カバー体３０を開位置から閉位置に変位させると、ガイド押さえ部材５０が第２突起部２２を押圧して、可動部２０ａを変位させ、第１突起部２１を用紙載置部１３から退避させるので、印刷不良の発生が抑えられる。【選択図】図１
2015150727.tif 000002
【特許請求の範囲】
【請求項１】
長尺の用紙が巻回されたロール紙を収容可能なロール紙収容部と、前記ロール紙収容部に収容された前記ロール紙から引き出された用紙が載置される用紙載置部とを有するキャビネット本体と、
用紙ガイド部材であって、
前記キャビネット本体に変位可能に設けられる可動部と、
前記可動部に、前記用紙載置部に載置される用紙の幅方向における該用紙の両側方に配置されて設けられる一対の第１突起部と、
前記可動部に、前記各第１突起部よりも前記幅方向外側に配置されて設けられる一対の第２突起部とを有し、
前記可動部は、前記第１突起部が前記用紙載置部から突出する突出位置と前記用紙載置部から退避している退避位置とにわたって変位する用紙ガイド部材と、
前記可動部を、前記第１突起部が前記退避位置から前記突出位置へ変位する方向へ、弾発的に付勢する付勢手段と、
前記キャビネット本体に設けられ、前記ロール紙収容部を塞ぐ閉位置と前記ロール紙収容部を開放させる開位置とにわたって変位可能なカバー体と、
前記カバー体に設けられ、前記用紙載置部に載置された用紙に印刷する印字ヘッドと、
前記カバー体に設けられ、前記カバー体が前記開位置から前記閉位置に変位することによって、前記第２突起部を押圧して、前記第１突起部を前記退避位置に変位させるガイド押さえ部材とを備えることを特徴とする印刷装置。
【請求項２】
前記可動部は、前記第１突起部および第２突起部が設けられる揺動レバーと、該揺動レバーの用紙引き出し方向上流側の一端部を、前記幅方向に平行な軸線まわりに角度変位自在に支持する支持部とを含み、
前記付勢手段は、前記揺動レバーの前記支持部とは反対側の他端部と、前記キャビネット本体との間に設けられていることを特徴とする請求項１に記載の印刷装置。
【請求項３】
前記カバー体の前記用紙載置部に臨む裏面に設けられるブラケットであって、前記カバー体の用紙引き出し方向上流側に固定される固定部と、該固定部から起立する起立部と、該起立部の前記固定部とは反対側の端部から用紙引き出し方向の下流側に延び、該下流側の端部が自由端であり、前記印字ヘッドおよび前記ガイド押さえ部材が取り付けられる取付部とを有するブラケットをさらに含むことを特徴とする請求項１または２に記載の印刷装置。
【発明の詳細な説明】
【技術分野】
【０００１】
本発明は、円柱状に用紙が巻回されたロール紙から用紙を引き出して、印字および印画などの印刷を行う印刷装置に関する。
【背景技術】
【０００２】
図５に示すようなＰＯＳ（Point of sale）システム等に用いられるＰＯＳ端末１００や、ＥＣＲ（Electronic Cash Register）端末などには、商品取引情報を文字、記号、画像などでロール紙に印刷してレシートとして排出する印刷装置Ｑが搭載される。特許文献１に、このような印刷装置Ｑの一例が記載されている。
【０００３】
特許文献１の印刷装置Ｑは、図６に示すように、キャビネット本体１と、カバー体２と、ロール紙Ｒの収容部３と、用紙載置部４と、搬送装置５と、印字ヘッド６と、切断装置７と、プラテンローラ８とを備えている。収容部３に収納されたロール紙Ｒから用紙Ｓを搬送装置５で引き出し、引き出した用紙Ｓに、印字ヘッド６及びプラテンローラ８を用いて印字する。印字された用紙Ｓは切断装置７で切断され、排出口９から外部へ排出される。切断装置７は、例えば、回動または揺動する可動刃と、固定された固定刃とを有し、これら可動刃及び固定刃の噛合わせによって用紙を切断する。
【０００４】
キャビネット本体１とカバー体２とは、ヒンジ部１ａで、回動可能に連結されている。カバー体２を回動することで、キャビネット本体１の収容部３を開放して、ロール紙Ｒの交換または補充が可能となっている。
【先行技術文献】
【特許文献】
【０００５】
【特許文献１】特開２０１１−１８３６２５号公報
【発明の概要】
【発明が解決しようとする課題】
【０００６】
前記従来の印刷装置Ｑにおいて、ロール紙Ｒを補充・交換する際、ロール紙Ｒから引き出した用紙Ｓを、印刷装置Ｑの排出口９付近の適正位置に配置する必要がある。そこで、排出口９付近に位置決め用のガイド部材を取り付けることが考えられる。しかし、図６に示すような、プラテンローラ８と印字ヘッド６とが、それぞれキャビネット本体１とカバー体２側とに分離される構造の印刷装置Ｑでは、印字後、印字ヘッド６から送り出される用紙Ｓが、左右に蛇行することがある。このため、左右に蛇行する用紙Ｓが、印字ヘッド６から排出される用紙Ｓの下流側に位置するガイド部材に接触して、紙の端縁が折れ曲がったり、紙詰まりを起こしたりするなどの印刷不良を発生させるという問題があった。
【０００７】
そこで従来は、ガイド部材を設けずに、図７に示すように、キャビネット本体１の排出口付近に、用紙位置指定ラベルを貼るか、キャビネット本体１に直接印刷するなどして、用紙Ｓの適正位置を示すマークＭを表示している。印刷装置Ｑの使用者は、ロール紙Ｒを収容部３に装着するときに、マークＭを利用して、目視によって、引き出した用紙Ｓの位置合わせを行う。用紙Ｓの位置決めは、使用者の目視によって行うため、用紙Ｓの配置を間違える可能性がある。特に、使用者が多忙なときは、ロール紙Ｒの交換・補充作業に慎重さを欠き、用紙の配置が不適切になって、紙折れや紙詰まりなどの印刷不良を招き易いという問題がある。
【０００８】
本発明の目的は、ロール紙の交換・補充の際に、用紙の位置合わせを容易に行うことができ、印刷時に印刷不良を起こすことがない印刷装置を提供することである。
【課題を解決するための手段】
【０００９】
本発明は、長尺の用紙が巻回されたロール紙を収容可能なロール紙収容部と、前記ロール紙収容部に収容された前記ロール紙から引き出された用紙が載置される用紙載置部とを有するキャビネット本体と、
用紙ガイド部材であって、
前記キャビネット本体に変位可能に設けられる可動部と、
前記可動部に、前記用紙載置部に載置される用紙の幅方向における該用紙の両側方に配置されて設けられる一対の第１突起部と、
前記可動部に、前記各第１突起部よりも前記幅方向外側に配置されて設けられる一対の第２突起部とを有し、
前記可動部は、前記第１突起部が前記用紙載置部から突出する突出位置と前記用紙載置部から退避している退避位置とにわたって変位する用紙ガイド部材と、
前記可動部を、前記第１突起部が前記退避位置から前記突出位置へ変位する方向へ、弾発的に付勢する付勢手段と、
前記キャビネット本体に設けられ、前記ロール紙収容部を塞ぐ閉位置と前記ロール紙収容部を開放させる開位置とにわたって変位可能なカバー体と、
前記カバー体に設けられ、前記用紙載置部に載置された用紙に印刷する印字ヘッドと、
前記カバー体に設けられ、前記カバー体が前記開位置から前記閉位置に変位することによって、前記第２突起部を押圧して、前記第１突起部を前記退避位置に変位させるガイド押さえ部材とを備えることを特徴とする印刷装置である。
【００１０】
また本発明は、前記可動部が、前記第１突起部および第２突起部が設けられる揺動レバーと、該揺動レバーの用紙引き出し方向上流側の一端部を、前記幅方向に平行な軸線まわりに角度変位自在に支持する支持部とを含み、
前記付勢手段は、前記揺動レバーの前記支持部とは反対側の他端部と、前記キャビネット本体との間に設けられていることを特徴とする。
【００１１】
また本発明は、前記カバー体の前記用紙載置部に臨む裏面に設けられるブラケットであって、前記カバー体の用紙引き出し方向上流側に固定される固定部と、該固定部から起立する起立部と、該起立部の前記固定部とは反対側の端部から用紙引き出し方向の下流側に延び、該下流側の端部が自由端であり、前記印字ヘッドおよび前記ガイド押さえ部材が取り付けられる取付部とを有するブラケットをさらに含むことを特徴とする。
【発明の効果】
【００１２】
本発明によれば、キャビネット本体に変位可能に設けられる可動部と、用紙の幅方向における該用紙の両側方に配置される一対の第１突起部と、各第１突起部よりも幅方向外側に配置される一対の第２突起部とを有し、可動部が、第１突起部が用紙載置部から突出している突出位置と用紙載置部から退避している退避位置とにわたって変位する用紙ガイド部材と、可動部を第１突起部が退避位置から突出位置へ向かう方向へ弾発的に付勢する付勢手段とを設けたので、ロール紙の交換・補充を行うときは、カバー体を開位置とすることによって、第１突起部が用紙載置部から突出した状態で行えるから、用紙の位置決めを第１突起部を目印にして容易に行うことができる。
【００１３】
ロール紙収容部を塞ぐ閉位置とロール紙収容部を開放させる開位置とにわたって変位可能なカバー体には、開位置から閉位置に変位することによって、第２突起部を押圧して、可動部を介し、第１突起部を退避位置へ変位させるガイド押さえ部材を設けたので、用紙に印刷を行う閉位置では、第１突起部が用紙載置部から退避した退避状態となるから、用紙が第１突起部に接触することによる印刷不良を招くおそれがない。
【００１４】
また本発明によれば、用紙引き出し方向上流側の一端部が支持部によって角度変位自在に支持され、他端部に付勢手段が取り付けられる揺動レバーに、第１突起部および第２突起部を設けたので、第１突起部および第２突起部を用紙載置部から突出させるのに必要な付勢力を小さくすることができる。これにより、カバー体を閉位置にしたときに、ガイド押さえ部材の押圧力によって、可動部の揺動レバーに生じる内部応力を小さくできるので、用紙ガイド部材の長寿命化を図れる。
【００１５】
また本発明によれば、カバー体の用紙載置部に臨む裏面に、用紙引き出し方向上流側に固定される固定部と、起立部と、用紙引き出し方向の下流側に延び、端部が自由端である取付部とを有するブラケットを設けるので、このブラケットは、固定部に片持ち状態で固定され、自由端が容易に変位可能な構造となる。したがって、このブラケットの取付部に印字ヘッドおよびガイド押さえ部材を取り付けるので、カバー体を閉位置に変位させるときに、プリンタヘッドは用紙載置部上の用紙に当接し、ガイド押さえ部は第２突起部に当接するが、そのときの衝撃を、自由端の変位によって緩和することができる。
【図面の簡単な説明】
【００１６】
【図１】本発明の第１実施形態に係るものであって、カバー体３０が開位置である状態の印刷装置Ｐを示す斜視図である。
【図２】本発明の第１実施形態に係るものであって、図２（Ａ）は、カバー体３０が開位置である状態の印刷装置Ｐの正面断面図、図２（Ｂ）は、カバー体３０が閉位置である状態の印刷装置Ｐの正面断面図である。
【図３】本発明の第１実施形態に係るものであって、図３（Ａ）は、図２（Ａ）の切断面線Ｘ−Ｘにおける側面断面図、図３（Ｂ）は、図２（Ｂ）の切断面線Ｙ−Ｙにおける側面断面図である。
【図４】本発明の第２実施形態に係るものであって、図４（Ａ）は、第１突起部２１および第２突起部２２を円柱状とした例を示す平面図、図４（Ｂ）は、第１突起部２１に対する第２突起部２２の位置を用紙引き出し方向にずらした例を示す平面図、図４（Ｃ）は、用紙Ｓの幅方向一方側の第１突起部２１および第２突起部２２を用紙引き出し方向にずらした例を示す平面図である。
【図５】印刷装置Ｑが設けられるＰＯＳ端末の従来例を示す斜視図である。
【図６】従来の印刷装置Ｑの側面断面図である。
【図７】カバー体２を開位置とした状態の従来の印刷装置Ｑの斜視図である。
【発明を実施するための形態】
【００１７】
［第１実施形態］
本発明の実施形態を、図面を参照して説明する。図１から図３は、本発明の第１実施形態に係る印刷装置Ｐを示すものであって、図１は、カバー体３０が開位置である状態の印刷装置Ｐを示す斜視図、図２（Ａ）は、カバー体３０が開位置である状態の印刷装置Ｐの正面断面図、図２（Ｂ）は、カバー体３０が閉位置である状態の印刷装置Ｐの正面断面図、図３（Ａ）は、図２（Ａ）の切断面線Ｘ−Ｘにおける側面断面図、図３（Ｂ）は、図２（Ｂ）の切断面線Ｙ−Ｙにおける側面断面図である。
【００１８】
本実施形態の印刷装置Ｐは、長尺の用紙が巻回されたロール紙Ｒから引き出された用紙Ｓに、印字ヘッド４０で印刷したのち、印刷された用紙Ｓを排出部から排出するものであり、ＰＯＳ端末やＥＣＲ端末などに搭載して用いられる。印刷装置Ｑは、キャビネット本体１０、用紙ガイド部材２０、カバー体３０、印字ヘッド４０、ガイド押さえ部材５０、付勢手段７０を備える。キャビネット本体１０は、ロール紙収容部１４と、ロール紙Ｒから引き出された用紙Ｓが載置される用紙載置部１３とを有する。用紙の排出部８０（図３（Ｂ）参照）は、キャビネット本体１０と閉位置のカバー体３０とによって規定される。
【００１９】
用紙ガイド部材２０は、キャビネット本体１０に変位可能に設けられる可動部２０ａと、用紙載置部１３上に配置される用紙Ｓの幅方向における該用紙Ｓの両側方に設けられる一対の第１突起部２１と、各第１突起部２１よりも幅方向の外側に設けられる一対の第２突起部２２とを有する。可動部２０ａは、第１突起部２１が用紙載置部１３から突出している突出位置と、第１突起部２１が用紙載置部１３から退避している退避位置とにわたって変位可能である。可動部２０ａには、第１突起部２１が退避位置から突出位置に向かう方向へ、可動部２０ａを弾発的に付勢する付勢手段７０が取り付けられる。
【００２０】
本例では、第１突起部２１および第２突起部２２は、ほぼ同形の板状部材から成り、用紙の幅方向に所定の間隔を置いて平行に配置される。なお、第１突起部２１および第２突起部２２の形状は、同一形状に限定されるものでなく、互いに異なる形状であってもよい。さらに第１突起部２１と第２突起部２２とは、高さ寸法が同一でも異なってもよい。すなわち、用紙ガイド部材２０の可動部２０ａが退避位置に在るとき、少なくとも第１突起部２１が用紙載置部１３から退避していればよく、第２突起部２２については、必ずしも退避せずに、用紙載置部１３から突出していてもよい。
【００２１】
本例では、キャビネット本体１０における用紙載置部１３の下方にガイド収納部１５を設け、このガイド収納部１５内において、用紙ガイド部材２０を、キャビネット本体１０に対し変位可能に配設する構成とした。
【００２２】
本例では、用紙ガイド部材２０の可動部２０ａは、たとえば板状の揺動レバー２３と、揺動レバー２３の用紙引き出し方向上流側の一端部を、幅方向に平行な軸線まわりに角度変位自在に支持するたとえばピンより成る支持部２４とによって構成される。揺動レバー２３の上面に第１突起部２１と第２突起部２２とが設けられ、したがって、第１突起部２１と第２突起部２２とは、揺動レバー２３によって連結され、一体に連動する。揺動レバー２３の支持部２４とは反対側の他端部２５とキャビネット本体１０との間に、付勢手段７０が配設される。本例の付勢手段７０は、可動部２０ａを、第１突起部２１が用紙載置部１３から突出する突出位置方向へ引っ張る引っ張りばねである。用紙載置部１３には、第１突起部２１を挿通させる第１挿通孔１１と、第２突起部２２を挿通させる第２挿通孔１２とが形成される。
【００２３】
本例の用紙ガイド部材２０は、支持部２４から第１突起部２１および第２突起部２２までの距離よりも、支持部２４からの距離が大きい他端部２５において、付勢手段７０が揺動レバー２３に付勢力を与える。よって、小さい付勢力で、第１突起部２１および第２突起部２２を、確実に用紙載置部１３から突出させることができる。揺動レバー２３の下方に部材を配設しない構造なので、ガイド収納部１５における揺動レバー２３下方領域を効率的に利用できる。
【００２４】
キャビネット本体１０に設けられるカバー体３０は、ロール紙収容部１４を塞ぐ閉位置と、ロール紙収容部１４を開放させる開位置とにわたって変位可能に構成される。本例では、カバー体３０の一端部下面に取着したＵ字形の連結具３１を、キャビネット本体１０にピン３２で連結して、カバー体３０を揺動自在に支持する構造を採用した。カバー体３０を、キャビネット本体１０に対し変位可能に設ける構造は、上記に限定されるものではない。
【００２５】
カバー体３０には、用紙載置部１３に載置される用紙Ｓに印刷する印字ヘッド４０と、カバー体３０が開位置から閉位置に変位することによって、第２突起部２２を押圧して、可動部２０ａを変位させるガイド押さえ部材５０とが設けられる。印字ヘッド４０には、たとえばロール紙Ｒが感熱紙である場合、サーマルヘッドが使用される。ガイド押さえ部材５０の形状は、これが当接する第２突起部２２に合わせて定められる。本例では、板状の部材としたが、板状に限定されるものではない。
【００２６】
本実施形態では、カバー体３０の用紙載置部１３に臨む裏面に、ブラケット６０が設けられる。ブラケット６０は、カバー体３０の用紙引き出し方向上流側に固定される固定部６１と、固定部６１から起立する起立部６２と、起立部６２の固定部６１とは反対側の端部から用紙引き出し方向の下流側に延び、下流側の端部が自由端６４である取付部６３から成る。該ブラケット６０の取付部６３に、印字ヘッド４０およびガイド押さえ部材５０が取り付けられる。本例では、印字ヘッド４０が取付部６３における用紙引き出し方向の上流側に配置され、ガイド押さえ部材５０が取付部６３における用紙引き出し方向の下流側に配置される構成とした。
【００２７】
ブラケット６０は、固定部６１によって、取付部６３が片持ち状態となり、自由端６４が容易に変位可能となる。したがって、カバー体３０を開位置から閉位置に変位させたときに、印字ヘッド４０が用紙載置部１３上の用紙Ｓに当接する際の衝撃、およびガイド押さえ部材５０が第２突起部２２に当接する際の衝撃を緩和する。したがって、印字ヘッド４０、ガイド押さえ部材５０および第２突起部２２が損傷を受けにくくなる。
【００２８】
前述のように構成された印刷装置Ｐは、ロール紙Ｒの交換または補充が必要なとき、カバー体３０を開位置に変位させて、ロール紙収容部１４を開放状態にする。このとき、図１、図２（Ａ）、図３（Ａ）に示すように、用紙ガイド部材２０は、付勢手段７０の付勢力によって揺動レバー２３が上方に引っ張られて可動部２０ａが変位し、第１突起部２１が第１挿通孔１１から突出するとともに、第２突起部２２が第２挿通孔１２から突出している突出位置に保持される。
【００２９】
一対の第１突起部２１を用紙載置部１３から突出させることによって、使用者は、ロール紙の交換または補充に際し、ロール紙Ｒから引き出した用紙Ｓを、各第１突起部２１の間に配置するだけで、用紙を適切な位置に設定することができる。したがって、従来に比べて、ロール紙Ｒの交換・補充をするときの慎重さが要求されないから、使用者は、多忙なときでも、簡単にかつ正確に用紙を適正位置に配置することができる。
【００３０】
ロール紙Ｒの交換・補充が完了して、カバー体３０を開位置から、図２（Ｂ）および図３（Ｂ）に示す閉位置に変位させると、カバー体３０に設けられたガイド押さえ部材５０が、第２突起部２２を押圧して、第２突起部２２を、用紙載置部１３の第２挿通孔１２内へ退避させる。これによって、可動部２０ａも変位し、この変位と連動して、揺動レバー２３に一体に設けられた第１突起部２１が、第１挿通孔１１内へ退避する退避位置へ変位する。
【００３１】
第１突起部２１が退避することによって、用紙載置部１３上に配置される用紙Ｓの側方近傍から突出部分が無くなるので、用紙載置部１３上を搬送される用紙Ｓが蛇行しても、突出部分などとの接触が発生せず、印刷不良が起こるのを抑制できる。
【００３２】
図示は省略したが、本実施形態の印刷装置Ｐは、従来装置と同様に、用紙Ｓをロール紙Ｒから引き出して外部へ搬送するための用紙搬送装置や、印刷を完了した用紙を切断するための切断装置が備えられる。用紙搬送装置は、たとえば、ロール紙収容部１４の内壁に設けられ、ロール紙Ｒを回転可能に支持する搬送ローラや、ロール紙Ｒから引き出された用紙Ｓを一定の張力で用紙載置部１３へ送り出す案内ローラなどで構成される。
【００３３】
切断装置は、排出部８０の近傍に設けられ、印刷を完了した用紙Ｓを所要の位置で切断するものであり、たとえば、キャビネット本体１０側に回動自在または揺動自在に支持される可動刃と、カバー体３０側に所定位置に固定される固定刃とを備え、可動刃を固定刃側へと移動させて両者の間に用紙を挟みこむことによって、剪断力で用紙Ｓを切断する機構が考えられる。
【００３４】
［第２実施形態］
用紙ガイド部材２０に設けられる第１突起部２１および第２突起部２２に関する異なる実施形態を、図４を用いて説明する。図４（Ａ）は、第１突起部２１および第２突起部２２を円柱状とした例を示す平面図、図４（Ｂ）は、第１突起部２１に対する第２突起部２２の位置を用紙引き出し方向にずらした例を示す平面図、図４（Ｃ）は、用紙Ｓの幅方向一方側の第１突起部２１および第２突起部２２を用紙引き出し方向にずらした例を示す平面図である。
【００３５】
図４（Ａ）に例示するように、第１突起部２１および第２突起部２２は、前述した板状のほか、円柱状の形態とすることができる。図示は省略するが、三角柱状、四角柱状、半円柱状なども採用可能である。第１突起部２１および第２突起部２２の配置は、用紙の幅方向に並列させて配置する以外に、図４（Ｂ）に示すように、第１突起部２１に対し、第２突起部２２を、用紙引き出し方向の下流側へずらした位置とすることもできる。さらに、図４（Ｃ）に示すように、用紙Ｓの幅方向一方側の第１突起部２１および第２突起部２２を、用紙引き出し方向にずらして配設する構成も可能である。
【００３６】
用紙ガイド部材２０は、可動部２０ａを揺動させる構造のほか、可動部２０ａを上下方向に昇降させて、第１突起部２１および第２突起部２２を用紙載置部１３に対し突出、退避させる構造でもよい。
その他、本発明の実施形態は、実施の状況に応じ、適宜変更することが可能である。
【符号の説明】
【００３７】
１０    キャビネット本体
１１    第１挿通孔
１２    第２挿通孔
１３    用紙載置部
１４    ロール紙収容部
１５    ガイド収納部
２０    用紙ガイド部材
２０ａ  可動部
２１    第１突起部
２２    第２突起部
２３    揺動レバー
２４    支持部
２５    他端部
３０    カバー体
４０    印字ヘッド
５０    ガイド押さえ部材
６０    ブラケット
６１    固定部
６２    起立部
６３    取付部
６４    自由端
７０    付勢手段
８０    排出部
Ｐ      印刷装置
Ｒ      ロール紙
Ｓ      用紙
【図１】
2015150727.tif 000003
【図２】
2015150727.tif 000004
【図３】
2015150727.tif 000005
【図４】
2015150727.tif 000006
【図５】
2015150727.tif 000007
【図６】
2015150727.tif 000008
【図７】
2015150727.tif 000009